(57)【要約】【課題】売買された商品の代金支払に関して多様なタイミングを設定できるようにして、購入者や販売者の利便性を向上することができる代金支払方法及び代金支払プログラムを提供する。【解決手段】管理コンピュータ３１は、購入者端末１０から、購入者の口座、商品を販売した販売者の振込先口座、商品の支払代金及び入金タイミングに関するデータを受信すると、購入者の口座から引き落とした代金を保留する。管理コンピュータ３１から代金を保留した通知を受けた販売者サーバ２０は、通知タイミングのデータを含めた商品の発送の依頼を配送事業者サーバ４０に行い、その商品に関連付けられた配送識別子を管理コンピュータ３１に送信する。管理コンピュータ３１は、配送事業者サーバ４０から、通知タイミングの地点を通過した商品の配送識別子を受信すると、この配送識別子に対応付けられた保留された代金を販売者の振込先口座に入金する。【選択図】      図１
2005284907.tif 000002
【特許請求の範囲】
【請求項１】
販売者が提供する商品の購入者の購入者端末及びこの商品の配送者の配送管理サーバにネットワークを介して接続可能な管理コンピュータと、口座データを記憶している口座データ記憶手段を有する金融機関システムを用いて、購入した商品の代金を支払う代金支払方法であって、
前記管理コンピュータが、
前記購入した商品の代金の支払元及び入金先に関する口座データを含む決済依頼を前記購入者端末から受信し、この決済依頼に基づいて前記支払元の口座から前記代金を引き落として保留するための保留処理を行う保留段階と、
前記購入者及び販売者により前記代金の入金タイミングとして設定された地点、及び前記配送管理サーバに管理される前記商品の配送状況に関する情報に基づいて、前記保留処理を行った代金を前記入金先の口座に対する入金処理を行う入金段階と
を含むことを特徴とする代金支払方法。
【請求項２】
前記管理コンピュータが、前記保留処理が完了した場合、前記配送管理サーバに前記商品の発送を指示する発送指示段階を更に含むことを特徴とする請求項１に記載の代金支払方法。
【請求項３】
前記管理コンピュータが、
前記配送管理サーバから前記購入された商品の配送を識別するための配送識別子データを受信し、この配送識別子データを前記保留した代金に関連付けて記録する記録段階を更に含み、
前記入金段階は、
前記配送管理サーバから前記入金タイミングとして設定された地点を通過した商品に関連付けられた前記配送識別子に関するデータを受信し、
前記受信した配送識別子に関連付けられた代金の前記入金処理を行うことを特徴とする請求項１又は２に記載の代金支払方法。
【請求項４】
前記金融機関システムは、前記代金の入金タイミングとして設定された地点に関するデータを記憶する地点データ記憶手段を備え、
前記管理コンピュータが、
前記配送管理サーバから前記商品の送付を識別するための配送識別子データを受信し、この配送識別子のデータを前記保留した代金に関連付けて記録する記録段階と、
前記配送識別子に関連付けられた商品の現在位置に関する情報を前記配送管理サーバから取得する配送状況監視段階と
を更に含み、
前記入金段階は、前記配送管理サーバから取得した現在位置が、前記地点データ記憶手段に記録された地点を通過した場合に前記入金処理を行うことを特徴とする請求項１又は２に記載の代金支払方法。
【請求項５】
前記管理コンピュータが、
前記入金処理の前に、前記購入者端末から、商品の購入中止の通知を受信した場合には、前記商品に関連付けられた配送識別子を含む返送指示を前記配送管理サーバに送信する返送指示段階と、
前記配送管理サーバから前記返送指示の受諾を受信した場合には、前記保留した代金を前記購入者の口座に入金する返金段階とを更に含むことを特徴とする請求項１〜４のいずれか１つに記載の代金支払方法。
【請求項６】
販売者が提供する商品の購入者の購入者端末及びこの商品の配送者の配送管理サーバに
ネットワークを介して接続可能な管理コンピュータと、口座データを記憶している口座データ記憶手段を有する金融機関システムを用いて、購入した商品の代金を支払う代金支払プログラムであって、
前記管理コンピュータが、
前記購入した商品の代金の支払元及び入金先に関する口座データを含む決済依頼を前記購入者端末から受信し、この決済依頼に基づいて前記支払元の口座から前記代金を引き落として保留するための保留処理を行う保留手段、及び
前記購入者及び販売者により前記代金の入金タイミングとして設定された地点、及び前記配送管理サーバに管理される前記商品の配送状況に関する情報に基づいて、前記保留処理を行った代金を前記入金先の口座に対する入金処理を行う入金手段
として機能させることを特徴とする代金支払プログラム。
【請求項７】
前記管理コンピュータを、前記保留処理が完了した場合、前記配送管理サーバに前記商品の発送を指示する発送指示手段として更に機能させることを特徴とする請求項６に記載の代金支払プログラム。
【請求項８】
前記管理コンピュータを、
前記配送管理サーバから前記購入された商品の配送を識別するための配送識別子データを受信し、この配送識別子データを前記保留した代金に関連付けて記録する記録手段として更に機能させ、
前記入金手段は、
前記配送管理サーバから前記入金タイミングとして設定された地点を通過した商品に関連付けられた前記配送識別子に関するデータを受信し、
前記受信した配送識別子に関連付けられた代金の前記入金処理を行うことを特徴とする請求項６又は７に記載の代金支払プログラム。
【請求項９】
前記金融機関システムは、前記代金の入金タイミングとして設定された地点に関するデータを記憶する地点データ記憶手段を備え、
前記管理コンピュータを、
前記配送管理サーバから前記商品の送付を識別するための配送識別子データを受信し、この配送識別子のデータを前記保留した代金に関連付けて記録する記録手段、及び
前記配送識別子に関連付けられた商品の現在位置に関する情報を前記配送管理サーバから取得する配送状況監視手段
として更に機能させ、
前記入金手段は、前記配送管理サーバから取得した現在位置が、前記地点データ記憶手段に記録された地点を通過した場合に前記入金処理を行うことを特徴とする請求項６又は７に記載の代金支払プログラム。
【請求項１０】
前記管理コンピュータを、
前記入金処理の前に、前記購入者端末から、商品の購入中止の通知を受信した場合には、前記商品に関連付けられた配送識別子を含む返送指示を前記配送管理サーバに送信する返送指示手段、及び
前記配送管理サーバから前記返送指示の受諾を受信した場合には、前記保留した代金を前記購入者の口座に入金する返金手段
として更に機能させることを特徴とする請求項６〜９のいずれか１つに記載の代金支払プログラム。
【発明の詳細な説明】
【技術分野】
【０００１】
本発明は、販売された商品の代金支払方法及び代金支払プログラムに関する。
【背景技術】
【０００２】
近年、コンピュータネットワークの発達により、いわゆるネットショッピングが活発化している。このネットショッピングでは、販売者は、購入者から、ネットワークを介して商品購入の申込に受け付け、購入者に商品を発送する。この商品の代金支払は、例えば、申込時にクレジットカード情報を送信することにより行われる。
【０００３】
この場合、クレジットカードを所有しない購入者は商品を購入できないという問題があった。また、クレジットカード情報を送信しても商品が確実に到着する保障はない。このため、購入者にはクレジットカード情報が悪用されるのではないかという不安があった。
【０００４】
そこで、購入者と販売者との間に中間管理者を介在させることにより、インターネットにおける販売を行う技術が開示されている（例えば、特許文献１参照。）。この特許文献１においては、購入者のユーザ端末と、販売元と、中間管理会社とがネットワークを介して接続されている。この購入者のユーザ端末と販売元の間で売買契約が成立すると、このことが中間管理会社に通知される。中間管理会社は、ユーザ端末から商品の代金の振り込みを確認すると、販売元に商品の発送を指示する。そして、中間管理会社は、販売元から商品の発送完了通知と、ユーザ端末から商品の受領通知を受け取ると、販売元に対して代金の支払を行う。
【特許文献１】特開２００２−７９２８号公報（図２）
【発明の開示】
【発明が解決しようとする課題】
【０００５】
ところが、特許文献１においては、購入者が商品を受領するまで、販売者は商品の代金を回収することはできない。
商品代金の支払のタイミングは、先払いや後払いがあるが、これらは両者の契約状況に応じて異なる。このため、多様な支払タイミングを設定できれば、両者にとって望ましい。
【０００６】
本発明は、上述の問題に鑑みてなされ、売買された商品の代金支払に関して多様なタイミングを設定できるようにして、購入者や販売者の利便性を向上することができる代金支払方法及び代金支払プログラムを提供することにある。
【課題を解決するための手段】
【０００７】
上記問題点を解決するために、請求項１に記載の発明は、販売者が提供する商品の購入者の購入者端末及びこの商品の配送者の配送管理サーバにネットワークを介して接続可能な管理コンピュータと、口座データを記憶している口座データ記憶手段を有する金融機関システムを用いて、購入した商品の代金を支払う代金支払方法であって、前記管理コンピュータが、前記購入した商品の代金の支払元及び入金先に関する口座データを含む決済依頼を前記購入者端末から受信し、この決済依頼に基づいて前記支払元の口座から前記代金を引き落として保留するための保留処理を行う保留段階と、前記購入者及び販売者により前記代金の入金タイミングとして設定された地点、及び前記配送管理サーバに管理される前記商品の配送状況に関する情報に基づいて、前記保留処理を行った代金を前記入金先の口座に対する入金処理を行う入金段階とを含むことを要旨とする。
【０００８】
請求項２に記載の発明は、請求項１に記載の代金支払方法において、前記管理コンピュータが、前記保留処理が完了した場合、前記配送管理サーバに前記商品の発送を指示する発送指示段階を更に含むことを要旨とする。
【０００９】
請求項３に記載の発明は、請求項１又は２に記載の代金支払方法において、前記管理コンピュータが、前記配送管理サーバから前記購入された商品の配送を識別するための配送識別子データを受信し、この配送識別子データを前記保留した代金に関連付けて記録する記録段階を更に含み、前記入金段階は、前記配送管理サーバから前記入金タイミングとして設定された地点を通過した商品に関連付けられた前記配送識別子に関するデータを受信し、前記受信した配送識別子に関連付けられた代金の前記入金処理を行うことを要旨とする。
【００１０】
請求項４に記載の発明は、請求項１又は２に記載の代金支払方法において、前記金融機関システムは、前記代金の入金タイミングとして設定された地点に関するデータを記憶する地点データ記憶手段を備え、前記管理コンピュータが、前記配送管理サーバから前記商品の送付を識別するための配送識別子データを受信し、この配送識別子のデータを前記保留した代金に関連付けて記録する記録段階と、前記配送識別子に関連付けられた商品の現在位置に関する情報を前記配送管理サーバから取得する配送状況監視段階とを更に含み、前記入金段階は、前記配送管理サーバから取得した現在位置が、前記地点データ記憶手段に記録された地点を通過した場合に前記入金処理を行うことを要旨とする。
【００１１】
請求項５に記載の発明は、請求項１〜４のいずれか１つに記載の代金支払方法において、前記管理コンピュータが、前記入金処理の前に、前記購入者端末から、商品の購入中止の通知を受信した場合には、前記商品に関連付けられた配送識別子を含む返送指示を前記配送管理サーバに送信する返送指示段階と、前記配送管理サーバから前記返送指示の受諾を受信した場合には、前記保留した代金を前記購入者の口座に入金する返金段階とを更に含むことを要旨とする。
【００１２】
請求項６に記載の発明は、販売者が提供する商品の購入者の購入者端末及びこの商品の配送者の配送管理サーバにネットワークを介して接続可能な管理コンピュータと、口座データを記憶している口座データ記憶手段を有する金融機関システムを用いて、購入した商品の代金を支払う代金支払プログラムであって、前記管理コンピュータが、前記購入した商品の代金の支払元及び入金先に関する口座データを含む決済依頼を前記購入者端末から受信し、この決済依頼に基づいて前記支払元の口座から前記代金を引き落として保留するための保留処理を行う保留手段、及び前記購入者及び販売者により前記代金の入金タイミングとして設定された地点、及び前記配送管理サーバに管理される前記商品の配送状況に関する情報に基づいて、前記保留処理を行った代金を前記入金先の口座に対する入金処理を行う入金手段として機能させることを要旨とする。
【００１３】
請求項７に記載の発明は、請求項６に記載の代金支払プログラムにおいて、前記管理コンピュータを、前記保留処理が完了した場合、前記配送管理サーバに前記商品の発送を指示する発送指示手段として更に機能させることを要旨とする。
【００１４】
請求項８に記載の発明は、請求項６又は７に記載の代金支払プログラムにおいて、前記管理コンピュータを、前記配送管理サーバから前記購入された商品の配送を識別するための配送識別子データを受信し、この配送識別子データを前記保留した代金に関連付けて記録する記録手段として更に機能させ、前記入金手段は、前記配送管理サーバから前記入金タイミングとして設定された地点を通過した商品に関連付けられた前記配送識別子に関するデータを受信し、前記受信した配送識別子に関連付けられた代金の前記入金処理を行うことを要旨とする。
【００１５】
請求項９に記載の発明は、請求項６又は７に記載の代金支払プログラムにおいて、前記金融機関システムは、前記代金の入金タイミングとして設定された地点に関するデータを記憶する地点データ記憶手段を備え、前記管理コンピュータを、前記配送管理サーバから前記商品の送付を識別するための配送識別子データを受信し、この配送識別子のデータを前記保留した代金に関連付けて記録する記録手段、及び前記配送識別子に関連付けられた商品の現在位置に関する情報を前記配送管理サーバから取得する配送状況監視手段として更に機能させ、前記入金手段は、前記配送管理サーバから取得した現在位置が、前記地点データ記憶手段に記録された地点を通過した場合に前記入金処理を行うことを要旨とする。
【００１６】
請求項１０に記載の発明は、請求項６〜９のいずれか１つに記載の代金支払プログラムにおいて、前記管理コンピュータを、前記入金処理の前に、前記購入者端末から、商品の購入中止の通知を受信した場合には、前記商品に関連付けられた配送識別子を含む返送指示を前記配送管理サーバに送信する返送指示手段、及び前記配送管理サーバから前記返送指示の受諾を受信した場合には、前記保留した代金を前記購入者の口座に入金する返金手段として更に機能させることを要旨とする。
【００１７】
（作用）
請求項１又は６に記載の発明によれば、販売者が提供する商品の購入者の購入者端末及びこの商品の配送者の配送管理サーバにネットワークを介して接続可能な管理コンピュータと、口座データを記憶している口座データ記憶手段を有する金融機関システムを用いる。管理コンピュータは、商品の代金の支払元及び入金先に関する口座データを含む決済依頼を購入者端末から受信し、この決済依頼に基づいて支払元の口座から代金を引き落として保留する。管理コンピュータは、購入者及び販売者により代金の入金タイミングとして設定された地点、及び配送管理サーバに管理される商品の配送状況に関する情報に基づいて、保留処理を行った代金を入金先の口座に対する入金処理を行う。このため、購入者は、例えば到着した商品を確認した後や商品の発送時など、多様なタイミングで代金を販売者に支払うことができる。従って、購入者が入金タイミングを早期に設定した場合には、販売者は、商品の代金を早期に回収することができる。また、保留した代金は、商品の配送状況に基づいて支払われるので、購入者に安心感を提供することができる。
【００１８】
請求項２又は７に記載の発明によれば、管理コンピュータは、保留処理が完了した場合、配送管理サーバに商品の発送を指示する。このため、販売者は、商品の代金が保留されて代金の確保ができてから、商品を発送することができる。
【００１９】
請求項３又は８に記載の発明によれば、管理コンピュータは、配送管理サーバから商品の配送を識別するための配送識別子データを受信し、この配送識別子データを保留した代金に関連付けて記録する。そして、管理コンピュータは、配送管理サーバから入金タイミングとして設定された地点を通過した商品に関連付けられた配送識別子に関するデータを受信する。管理コンピュータは、受信した配送識別子に関連付けられた代金の入金処理を行う。このため、管理コンピュータは、代金を支払う購入者に、多様なタイミングで代金を販売者に支払うことができる。
【００２０】
請求項４又は９に記載の発明によれば、金融機関システムは、代金の入金タイミングとして設定された地点に関するデータを記憶する地点データ記憶手段を備える。管理コンピュータは、配送管理サーバから商品の送付を識別するための配送識別子データを受信し、この配送識別子のデータを前記保留した代金に関連付けて記録する。管理コンピュータは、配送識別子に関連付けられた商品の現在位置に関する情報を配送管理サーバから取得する。管理コンピュータは、配送管理サーバから取得した現在位置が、前記地点データ記憶
手段に記録された地点を通過した場合に前記入金処理を行う。このため、管理コンピュータは、代金を支払う購入者に、多様なタイミングで代金を販売者に支払うことができる。
【００２１】
請求項５又は１０に記載の発明によれば、管理コンピュータは、入金処理の前に、購入者端末から、商品の購入中止の通知を受信した場合には、前記商品に関連付けられた配送識別子を含む返送指示を配送管理サーバに送信する。管理コンピュータは、配送管理サーバから返送指示の受諾を受信した場合には、前記保留した代金を前記購入者の口座に入金する。このため、購入者は、入金処理前でかつ商品が到着しない間は、購入を中止して、代金の返金を受け取ることができる。従って、購入者は、安心して取引を行うことができる。
【発明の効果】
【００２２】
本発明によれば、売買された商品の代金支払に関して多様なタイミングを設定できるようにして、購入者や販売者の利便性を向上することができる。
【発明を実施するための最良の形態】
【００２３】
以下、本発明を具体化した一実施形態を図１〜図９に基づいて説明する。本実施形態では、商品の購入者が用いる購入者端末１０、商品を販売する販売者が保有する販売者サーバ２０、金融機関としての銀行が保有する銀行システム３０及び商品を配送する配送事業者が保有する配送事業者サーバ４０が、インターネットＩを介して相互に接続されている。
【００２４】
図１に示すように、購入者端末１０は、例えばコンピュータ端末であり、ディスプレイ、キーボード及びマウスを備えている。
一方、販売者サーバ２０は、ネットワークとしてのインターネットＩを介して商品を販売する販売者のサーバである。販売者サーバ２０は、販売管理コンピュータ２１を有している。販売管理コンピュータ２１は、販売データ記憶部２２に接続されている。図２に示すように、販売データ記憶部２２には、販売に関する販売データ２２０が記録される。販売データ２２０は、商品が販売された時に生成される。販売データ２２０は、商品識別子、顧客名、顧客連絡先、送付先住所、入金タイミング設定、販売日時、決済依頼識別子、配送識別子及び決済完了日時に関するデータを含んで構成されている。
【００２５】
商品識別子データ領域には、販売した商品を識別して特定するための商品識別子に関するデータが記録される。
顧客名データ領域には、この商品を販売した顧客の名前に関するデータが記録される。
【００２６】
顧客連絡先データ領域には、この商品を販売した顧客の連絡先、例えば、住所、電話番号などに関するデータが記録されている。
送付先住所データ領域には、販売した商品を送付する送付先に関するデータが記録される。
【００２７】
入金タイミング設定データ領域には、支払代金を販売者の口座に入金するタイミングを特定するためのデータが記録される。本実施形態では、購入者が入金タイミングを設定する。そして、タイミングとして、発送確認後、配達経路上の拠点（営業所等）の通過後や商品到着時等を用いる。このため、ここでは、このタイミングを特定するための地点に関するデータが記録される。
【００２８】
販売日時データ領域には、商品を販売した日時に関するデータが記録されている。
決済依頼識別子データ領域には、代金支払のために行われた銀行決済依頼を特定するための決済依頼識別子に関するデータが記録される。この決済依頼識別子データは、販売者
サーバ２０が銀行システム３０から決済依頼識別子に関するデータを受信したときに記録される。
【００２９】
配送識別子データ領域には、配送事業者による配送を特定するための配送識別子に関するデータが記録される。この配送識別子データは、販売者サーバ２０が配送事業者サーバ４０から配送識別子に関するデータを受信したときに記録される。
決済完了日時は、代金が入金されて決済が完了した日時に関するデータが記録される。
【００３０】
一方、銀行システム３０は、銀行が保有するコンピュータシステムである。この銀行システム３０は、管理コンピュータ３１を有している。管理コンピュータ３１は、図示しないＣＰＵ、ＲＡＭ及びＲＯＭ等を有し、後述する処理（保留段階、入金段階、発送指示段階、記録段階、返送指示段階及び返金段階等を含む処理）を行う。このための代金支払プログラムを実行することにより、管理コンピュータ３１は、保留手段、入金手段、発送指示手段、記録手段、返送指示手段及び返金手段として機能する。
【００３１】
また、管理コンピュータ３１は、預金口座データ記憶部３２及び決済依頼データ記憶部３３に接続されている。
預金口座データ記憶部３２には、図３に示すように、銀行の預金口座に関する預金口座データ３２０が記憶される。この預金口座データ３２０は、顧客が銀行に預金口座を開設したときに記録される。また、預金口座データ３２０は、預金口座識別子、顧客識別子、顧客名、暗証番号及び口座残高に関するデータを含む。
【００３２】
預金口座識別子データ領域には、この銀行の顧客の預金口座を特定するための識別子に関するデータが記録されている。本実施形態では、この預金口座識別子データは、支店コード、預金種目コード及び口座番号に関するデータを含んで構成される。
【００３３】
顧客識別子データ領域には、この預金口座の名義人を特定するための識別子に関するデータが記録される。
顧客名データ領域には、この預金口座の名義人の名前に関するデータが記録される。
【００３４】
暗証番号データ領域には、顧客の口座の暗証番号に関するデータが記録される。本実施形態では、後述するように、この暗証番号は、購入者端末１０から引落処理を行うときのユーザ認証において用いられる。
口座残高データ領域には、顧客の預金口座の残高に関するデータが記録される。
【００３５】
また、図４に示すように、決済依頼データ記憶部３３には、商品の支払代金の決済依頼に関する決済依頼データ３３０が記録される。この決済依頼データ３３０は、購入者端末１０からの決済依頼を受信したときに記録される。また、決済依頼データ３３０は、決済依頼識別子、顧客口座識別子、振込先口座識別子、支払金額、キャンセル設定日時、配送識別子及び決済完了日時に関するデータを含む。
【００３６】
決済依頼識別子データ領域には、決済依頼を特定するための決済依頼識別子に関するデータが記録される。
顧客口座識別子データ領域には、決済依頼を行った購入者の口座を特定するための顧客口座識別子に関するデータが記録される。この顧客口座識別子によって、支払金額を引き落とす口座が特定される。すなわち、顧客口座識別子は、代金支払に用いられる預金口座の支店コード、預金種目コード及び口座番号に関するデータを含んで構成される。また、この顧客口座識別子データ領域に記録されるデータを介して、決済依頼データ３３０と預金口座データ３２０とが関連付けられている。
【００３７】
振込先口座識別子データ領域には、顧客口座から引落した支払代金を振り込む振込先口座識別子が記録される。本実施形態では、この振込先口座識別子は、販売者サーバ２０を有する販売者の口座の識別子である。なお、この振込先口座識別子は、金融機関コード、支店コード、預金種目コード及び口座番号に関するデータを含んで構成される。
【００３８】
支払金額データ領域には、支払代金の金額に関するデータが記録される。
キャンセル設定日時データ領域には、キャンセルとなる設定日に関するデータが記録される。この設定日時を経過しても、販売者から商品発送の通知がなかった場合、支払代金を引落した支払代金は振込先口座に入金されずに、引落された顧客口座に返金される。
【００３９】
配送識別子データ領域には、配送事業者による配送を特定するための配送識別子に関するデータが記録される。この配送識別子データは、販売者の販売者サーバ２０から商品発送の通知として受信したときに記録される。
決済完了日時データ領域には、支払代金が振込先口座に入金されて決済が完了した日時（決済完了日時）に関するデータが記録される。
【００４０】
一方、配送事業者サーバ４０は、販売者の依頼に基づいて商品の配送事業者が保有する配送管理サーバである。この配送事業者サーバ４０は、配送管理コンピュータ４１を有している。配送管理コンピュータ４１は、配送データ記憶部４２に接続されている。図５に示すように、配送データ記憶部４２には、配送に関する配送データ４２０が記録される。配送データ４２０は、販売者サーバ２０から配送依頼を受信したときに生成される。配送データ４２０は、配送識別子、配送先住所、配送先連絡先、発送元連絡先、通知タイミング、通知先アドレス及び配送完了日時に関するデータを含んで構成される。
【００４１】
配送識別子データ領域には、各配送を特定するための配送識別子に関するデータが記録される。
配送先住所データ領域には、配送先の住所に関するデータが記録されている。
【００４２】
配送元連絡先データ領域には、配送先の連絡先に関するデータが記録されている。
発送元連絡先データ領域には、発送者（ここでは、販売者）の連絡先に関するデータが記録されている。
【００４３】
通知タイミングデータ領域には、配達経路上の特定の地点を通過した旨を銀行システム３０に通知するためのタイミングに関するデータが記録される。このデータは、配送データ４２０の特定地点を商品が通過した場合に、配送依頼に含まれていた金融機関への通知を行うためのデータである。この地点は、販売者サーバ２０から受信した入金タイミング設定データに基づいて設定される。
【００４４】
通知先アドレスデータ領域には、通知を行う金融機関のアドレスに関するデータが記録される。
配送完了日時データ領域には、配送が完了した日時に関するデータが記録される。
【００４５】
次に、上記のように構成されたシステムにおける作用について、図６及び図７に基づいて説明する。ここでは、購入処理及び発送処理の順に説明する。
（購入処理）
購入者は、購入者端末１０を用いて、商品を販売している販売者サーバ２０にアクセスする。そして、購入したい商品があった場合には、購入者は商品の申込を行う（ステップＳ１−１）。この場合、購入者は、購入する商品を特定するための商品識別子とともに、購入者の氏名、住所や電話番号などの連絡先及び商品の送付先住所などに関するデータを販売者サーバ２０に送信する。
【００４６】
販売者サーバ２０の販売管理コンピュータ２１は、受信したデータを記録する。具体的には、販売管理コンピュータ２１は、受信した顧客名、顧客連絡先、送付先住所に関するデータを含む販売データ２２０を販売データ記憶部２２に記録する。
【００４７】
次に、販売管理コンピュータ２１は、振込口座データを購入者端末１０に送信する（ステップＳ１−２）。
購入者端末１０は、受信したデータに基づいて図８の振込口座表示画面６００を表示する（ステップＳ１−３）。
【００４８】
この振込口座表示画面６００には、支払代金の金額６０１と、支払代金の振込先の振込先口座６０２とが表示される。また、この振込口座表示画面６００は、本発明の入金タイミング設定サービスを利用する場合に用いるボタン６０３と、利用しない場合に用いるボタン６０４とを含む。
【００４９】
ここで、購入者が入金タイミング設定サービスを利用するためのボタンを選択すると、購入者端末１０は、そのサービスの利用の申込を販売者サーバ２０に対して行う（ステップＳ１−４）。
【００５０】
販売者サーバ２０は、入金タイミングを購入者に設定させるために、入金タイミング設定画面データを購入者端末１０に送信する（ステップＳ１−５）。入金タイミング設定画面データを受信した購入者端末１０は、図９に示す入金タイミング設定画面６１０を表示する（ステップＳ１−６）。
【００５１】
入金タイミング設定画面６１０には、支払代金を入金する配送経路上の地点を選択するラジオボタン６１１と、このサービスを利用できる銀行システム３０に接続する接続ボタン６１２と、振込口座表示画面６００に戻るボタン６１３とが含まれる。購入者は、支払代金を販売者の口座に入金するタイミングを、購入者端末１０のマウスを用いて選択する。ここでは、例えば「配達管轄地区に到着後」が選択された場合を想定する。そして、接続ボタン６１２が選択されると、購入者端末１０は、銀行システム３０に接続して、決済依頼を送信する（ステップＳ１−７）。このときの決済依頼には、振込口座表示画面６００に表示された振込先口座識別子、支払代金及び入金タイミングに関するデータ及びセッション識別子が含まれる。
【００５２】
銀行システム３０の管理コンピュータ３１は、決済依頼を受信すると、その依頼に対して決済依頼識別子を付与する。そして、管理コンピュータ３１は、付与した決済依頼識別子に関するデータを含む決済依頼データ３３０を生成する。更に、管理コンピュータ３１は、受信した振込先口座識別子のデータ及び支払代金のデータを、この決済依頼データ３３０に含めて決済依頼データ記憶部３３に記録する。
【００５３】
次に、管理コンピュータ３１は、購入者端末１０に対してログインの要求を行う（ステップＳ１−８）。このログインの要求において、管理コンピュータ３１は、インターネットバンキングのログイン画面データを送信する。
【００５４】
ログイン画面データを受信した購入者端末１０は、ログイン画面（図示せず）をディスプレイに表示する。このログイン画面には、顧客識別子や暗証番号を入力するための入力欄及び送信ボタンが含まれる。購入者端末１０は、ログイン画面により顧客識別子及び暗証番号の入力を購入者に促す。
【００５５】
ここで、購入者は、ログイン画面の各入力欄に、自分の顧客識別子と暗証番号とを入力
し、送信ボタンを押す。これにより、購入者端末１０はログインに必要なデータを送信する（ステップＳ１−９）。具体的には、購入者端末１０は、ログインに必要なデータとして顧客識別子及び暗証番号に関するデータを銀行システム３０に送信する。
【００５６】
銀行システム３０の管理コンピュータ３１は、ログインに必要なデータを受信すると、支払代金の保留処理を行う（ステップＳ１−１０）。具体的には、まず、管理コンピュータ３１は、受信した顧客識別子及び暗証番号を用いてユーザ認証を行う。
【００５７】
この保留処理において管理コンピュータ３１は、まず、受信したデータの顧客識別子と一致する預金口座データ３２０を検索して、該当する預金口座データ３２０を抽出する。次に、管理コンピュータ３１は、抽出した預金口座データ３２０の暗証番号と、受信したデータの暗証番号とが一致するか否かを確認する。暗証番号が一致した場合には、管理コンピュータ３１は、その顧客識別子に対応する顧客の預金口座識別子のデータを抽出する。そして、管理コンピュータ３１は、この預金口座識別子を購入者端末１０に送信して購入者に確認後、この預金口座識別子を決済依頼データ記憶部３３に記録する。
【００５８】
更に、管理コンピュータ３１は、キャンセル設定日時を記録する。本実施形態では、このキャンセル設定日時として、決済依頼データ３３０の記録から所定時間（例えば２４時間）後に設定する。そこで、管理コンピュータ３１は、決済依頼データ３３０を記録した時刻を取得し、この時刻の２４時間後の時刻を算出する。そして、算出した時刻をキャンセル設定日時として決済依頼データ記憶部３３に記録する。
【００５９】
次に、管理コンピュータ３１は、引落処理を行う。具体的には、管理コンピュータ３１は、決済依頼データ３３０に含まれる顧客口座識別子に基づいて、この口座の預金口座データ３２０を抽出する。そして、管理コンピュータ３１は、抽出した預金口座データ３２０の口座残高から支払代金を減額して、減額した後の金額を新たな口座残高のデータとして預金口座データ記憶部３２に記録する。なお、購入者の口座残高が少なく、支払代金を減額できなかった場合には、その旨を購入者端末１０に通知する。
【００６０】
次に、管理コンピュータ３１は、購入者端末１０及び販売者サーバ２０に対して保留処理の完了を通知する（ステップＳ１−１１）。このとき、管理コンピュータ３１は、販売者サーバ２０に、決済依頼識別子、引落処理を行った顧客口座の顧客名及び入金タイミングに関するデータを送信する。この際、管理コンピュータ３１は、更に、ステップＳ１−７の決済依頼に含まれるセッション識別子を送信する。
【００６１】
販売者サーバ２０は、受信したセッション識別子に基づいて、引落処理が完了した販売データ２２０を特定する。また、販売者サーバ２０は、特定した販売データ２２０に、受信した決済依頼識別子及び入金タイミングに関するデータを記録する。また、販売者サーバ２０は、銀行システム３０から保留処理の完了通知を受信した日時を販売日時として、販売データ２２０に記録する。
【００６２】
このようにして、販売者サーバ２０が受信した決済依頼識別子のデータを記録することにより、購入処理が完了する。
（発送処理）
次に、図７を用いて発送処理を説明する。
【００６３】
まず、販売者が商品の発送入力を行った場合、販売者サーバ２０は、配送事業者サーバ４０に商品発送依頼を送信する（ステップＳ２−１）。
この商品発送依頼は、配送先住所、配送先連絡先、発送元連絡先、通知タイミング及び通知先アドレスに関するデータを含んで構成される。本実施形態では、商品の配送先住所
は、商品を購入した購入者の住所を想定する。配送先連絡先は、この購入者の電話番号を用いる。発送元連絡先は、商品を発送する販売者の連絡先であり、具体的には販売者の電話番号や住所などを用いる。また、通知タイミングは、入金タイミングに基づいて設定される。本実施形態では、入金タイミングと同一の「配達管轄地区に到着後」を用いる。また、通知先アドレスは、保留処理完了の通知を送信した銀行システム３０のアドレスである。
【００６４】
配送事業者サーバ４０は、まず受信した商品発送依頼に配送識別子を付与する。配送事業者サーバ４０は、付与した配送識別子のデータと、受信した各種データ（配送先住所、配送先連絡先、発送元連絡先、通知タイミング及び通知先アドレスに関するデータ）を配送データ４２０に記録する。
【００６５】
次に、配送事業者サーバ４０は、付与した配送識別子に関するデータを、配送依頼元である販売者サーバ２０に送信する（ステップＳ２−２）。販売者サーバ２０は、受信した配送識別子を販売データ記憶部２２に記録する。
【００６６】
更に、販売者サーバ２０は、配送事業者サーバ４０から受信した配送識別子に関するデータを銀行システム３０に送信する（ステップＳ２−３）。このとき、販売者サーバ２０は、商品の決済依頼識別子データに関連付けて配送識別子データを送信する。
【００６７】
銀行システム３０は、受信した決済依頼識別子を有する決済依頼データ３３０に、配送識別子データを記録する。
その後、販売者から商品が発送される場合には、配送事業者サーバ４０によって付与された配送識別子が商品の送り状に記載される。この配送識別子には、バーコード等により表示される。そして、配送識別子が付与された商品が配送事業者により集荷される。配送事業者は、商品を集荷すると、配送先住所の配達を管轄する営業所に送られる。
【００６８】
このとき、配送事業者の営業所や配送センタなどに設置された配送識別子読取端末（例えば、バーコードリーダ）から、商品が移動される度に、その商品に付与された配送識別子のデータと、到着した場所に関するデータとが配送事業者サーバ４０に送信される。配送事業者サーバ４０の配送管理コンピュータ４１は、受信した配送識別子のデータと、到着した場所に関するデータとに基づいて、通知タイミングとして設定された地点を経過したか否かを判断する（ステップＳ２−４）。
【００６９】
本実施形態では、通知タイミングの地点として「配達管轄地区」を示すデータが記録されている。このため、配送事業者サーバ４０の配送管理コンピュータ４１は、設定された配達管轄営業所の配送識別子読取端末からの配送識別子データ受信を待機する。
【００７０】
そして、配送管理コンピュータ４１が、設定された配達管轄営業所を経過した旨の通知を受信した場合（ステップＳ２−４において「ＹＥＳ」の場合）、配送データ記憶部４２に記録した通知先アドレスに通知を行う（ステップＳ２−５）。具体的には、配送管理コンピュータ４１は、通知先アドレスで特定される銀行システム３０に、設定された地点を通過した旨の通知を行う。このとき、配送管理コンピュータ４１は、配送識別子のデータを銀行システム３０に送信する。
【００７１】
銀行システム３０の管理コンピュータ３１は、照合処理を行う（ステップＳ２−６）。具体的には、管理コンピュータ３１は、配送事業者サーバ４０から受信した配送識別子に基づいて、この配送識別子を有する決済依頼データ３３０を決済依頼データ記憶部３３から検索する。
【００７２】
そして、この配送識別子を含む決済依頼データ３３０を抽出すると、管理コンピュータ３１は入金処理を行う（ステップＳ２−７）。本実施形態では、振込先口座もＡＡＡ銀行にあるため、抽出した決済依頼データ３３０に含まれる振込先口座識別子で特定される口座の残高に支払金額を加算して、新たな口座残高として決済依頼データ３３０に記録する。なお、振込先口座が他銀行の場合には、その銀行の口座に、支払金額を入金するように依頼を行う。
【００７３】
次に、管理コンピュータ３１は、振込先である販売者の販売者サーバ２０及び引落依頼を送信した購入者端末１０に対して、入金が完了した旨を通知する（ステップＳ２−８）。
【００７４】
その後、配達先に商品が到着した場合、配達者端末から配送事業者サーバ４０に配達完了通知が送信される。この場合、配送事業者サーバ４０は、販売者サーバ２０に配送完了の通知を行う（ステップＳ２−９）。以上により、商品の販売が完了する。
【００７５】
また、入金タイミング設定地点に商品が通過するまでに、購入者が商品購入を中止する場合には、購入者端末１０を用いて銀行システム３０に中止依頼を送信する。このときの中止依頼には、決済依頼識別子を含める。銀行システム３０は、受信した決済依頼識別子を含む決済依頼データ３３０を特定し、決済依頼データ３３０に含まれる配送識別子を配送事業者サーバ４０に送信する。
【００７６】
これにより、配送事業者サーバ４０は、受信した配送識別子に対応する商品が、まだ配送先に到着していない場合には、その商品を発送元に返送するための返送指示を送信する。そして、配送事業者サーバ４０は、返送した旨を配送識別子とともに銀行システム３０に送信する。銀行システム３０は、受信した配送識別子に基づいて、決済依頼データ３３０の顧客口座識別子を特定する。銀行システム３０は、特定した顧客口座識別子に対応する口座に、保留した代金を入金する。
【００７７】
一方、配送事業者サーバ４０は、受信した配送識別子に対応する商品が、すでに配送先に到着している場合には、その商品を返送することができない旨を銀行システム３０に送信する。この場合、銀行システム３０は、保留した代金を、販売者の口座に入金しない。そして、銀行システム３０は、販売者から購入者に返金する依頼を受信した後に、その決済依頼識別子に基づいて決済依頼データ３３０の顧客口座識別子を特定し、この顧客口座識別子に対応する口座に、保留した代金を返金する。
【００７８】
本実施形態によれば、以下のような効果を得ることができる。
・本実施形態では、管理コンピュータ３１は、入金タイミング及び販売先の振込先口座のデータを含む決済依頼を購入者端末１０から受信する（ステップＳ１−７）。そして、管理コンピュータ３１は、支払代金を購入者の口座から引き落とす保留処理を行う（ステップＳ１−１０）。更に、管理コンピュータ３１は、購入者端末１０及び販売者サーバ２０に対して保留処理の完了を通知する（ステップＳ１−１１）。このため、販売者は、保留処理の完了通知に基づいて商品の発送を行うことができる。従って、販売者は、商品の代金が確保できた後に、商品を発送することができる。
【００７９】
・本実施形態では、商品発送が行われた場合、銀行システム３０は配送識別子を記録する。そして、配送事業者サーバ４０は、販売者が発送した商品が通知タイミングに設定された地点を通過したことを通知先である銀行システム３０に通知する（ステップＳ２−５）。管理コンピュータ３１は、この通知に含まれる配送識別子と、記録した配送識別子とに基づいて、保留した代金を販売者の振込先の口座に入金する入金処理を行う（ステップＳ２−７）。このため、購入者は、保留した代金の入金するタイミングを指定できる。従
って、購入者は、例えば到着した商品を確認した後や商品の発送時など、多様なタイミングで代金を販売者に支払うことができる。そして、保留した代金は、商品の配送状況に基づいて支払われるので、購入者に安心感を提供することができる。また、購入者が入金タイミングを早期に設定した場合には、販売者は、商品の代金を早期に回収することができる。
【００８０】
・本実施形態では、購入時に、銀行システム３０が支払代金の保留処理を行う。そして、この保留処理が完了した通知が販売者になされる。このため、販売者は、支払代金を確保してから商品を発送することができる。従って、販売者は、より確実に商品の代金を回収することができる。
【００８１】
・本実施形態では、銀行システム３０は、販売者サーバ２０から商品の配送識別子に関するデータを受信する（ステップＳ２−３）。このため、購入者が銀行システム３０に対してのみ中止依頼を送信した場合であっても、銀行システム３０は、配送識別子に基づいて、その配送事業者サーバ４０に対して中止を連絡する。このとき、商品がまだ配送されていない場合には、管理コンピュータ３１は、保留された代金を購入者の口座に入金する。このため、購入者は、入金処理前でかつ商品が到着しない間は、購入を中止して、代金の返金を受け取ることができる。
【００８２】
また、商品がすでに配送された場合には、管理コンピュータ３１は、保留された代金をそのまま保留する。このため、商品を受け取った購入者への返金を抑制することができる。この結果、取引の安全を確保することができる。
【００８３】
・本実施形態では、保留処理の完了は、販売者サーバ２０に通知されるとともに購入者端末１０にも通知される。このため、購入者端末１０は、販売者サーバ２０に保留処理の完了が通知されたことを確認することができる。
【００８４】
なお、上記実施形態は以下のように変更してもよい。
○上記実施形態においては、管理コンピュータ３１は、販売者サーバ２０から配送識別子を受信して決済依頼データ３３０に記録する。管理コンピュータ３１は、照合処理（ステップＳ２−６）によって、決済依頼データ３３０の配送識別子と、配送事業者サーバ４０から受信した配送識別子とから決済依頼識別子を特定した。これに代えて、配送識別子に対応する決済依頼識別子の特定を配送事業者サーバ４０が行ってもよい。具体的には、販売者サーバ２０は、決済依頼識別子を配送事業者サーバ４０に送信する。そして、配送事業者サーバ４０は、地点を通過した商品に関連付けた決済依頼識別子を銀行システム３０に送信してもよい。
【００８５】
○上記実施形態においては、商品が通知タイミングとして設定された地点を通過すると、配送事業者サーバ４０は管理コンピュータ３１に、配送識別子を送信した。これに限らず、管理コンピュータ３１が、所定時間毎に、商品の配送状況について配送事業者サーバ４０に問い合わせをしてもよい。例えば、決済依頼データ３３０に、入金タイミングに関するデータを含んだデータを地点データ記憶手段である記憶部に記憶させる。管理コンピュータ３１は、所定時間毎に、配送事業者サーバ４０に、各商品に関連付けられた配送識別子を送信する。このとき、管理コンピュータ３１は、記憶段階、配送状況監視段階及び入金段階を行って、記憶手段、配送状況監視手段及び入金手段として機能する。そして、管理コンピュータ３１は、配送事業者サーバ４０から受信した配送識別子に関連付けられた商品の現在位置と、決済依頼データ３３０に記録した入金タイミングの地点とを照合する。この照合の結果、商品の現在位置が入金タイミングの地点を通過している場合には、管理コンピュータ３１は、保留した代金を販売者の口座に入金する。この場合には、管理コンピュータは、現存する配送管理サーバを用いることができる。
【００８６】
○上記実施形態においては、配送事業者サーバ４０が、入金タイミングに対応する通知タイミングの地点を商品が通過したか否かの判断を、配送事業者サーバ４０が行った。これに代えて、銀行システム３０において、入金タイミングの地点を商品が通過したか否かの判断を行ってもよい。この場合には、決済依頼データ記憶部３３の決済依頼データ３３０に入金タイミングに関するデータを記録させる。そして、管理コンピュータ３１は、配送状況が変化した商品についての配送識別子を配送事業者サーバ４０から取得した場合には、この配送識別子に基づいて、商品が入金タイミングの地点を通過したか否かを判断してもよい。
【００８７】
また、配送される商品が入金タイミングの地点を通過したか否かの判断を、銀行システム３０又は配送事業者サーバ４０以外の他のサーバで行ってもよい。具体的には、銀行システム３０及び配送事業者サーバ４０とは別のサーバを設ける。そして、このサーバには、入金タイミングと、決済依頼識別子と配送識別子に関するデータを相互に関連付けて記憶する記憶部が設けられる。そして、このサーバは、配送事業者サーバ４０から商品の配送状況を取得すると、商品の配送状況と入金タイミングとを照合する。その結果、サーバは、商品の配送状況が入金タイミングと一致した場合には、その配送識別子に関連付けられた決済依頼識別子を銀行システム３０に送信する。銀行システム３０は、受信した決済依頼識別子に基づいて、保留された代金を販売者の口座に入金する。
【００８８】
○上記実施形態においては、管理コンピュータ３１は、販売者サーバ２０から配送識別子を受信した。これに限らず、配送事業者サーバ４０又は購入者端末１０から配送識別子を受信してもよい。例えば、管理コンピュータ３１は配送事業者サーバ４０から配送識別子を受信する場合には、販売者サーバ２０は商品の配送識別子を送信する送信先（管理コンピュータ３１のアドレスなど）と、決済依頼識別子や商品識別子に関するデータを配送事業者サーバ４０に送信する。そして、配送事業者サーバ４０は、管理コンピュータ３１に、決済依頼識別子又は商品識別子に関連付けて配送識別子を送信する。これにより、管理コンピュータ３１は、配送識別子を取得してもよい。
【００８９】
○上記実施形態では、管理コンピュータは、銀行システム３０の管理コンピュータ３１を用いた。これに代えて、銀行システム３０に指示を出して保留処理及び入金処理を行わせる別の管理コンピュータを用いてもよい。
【図面の簡単な説明】
【００９０】
【図１】実施形態におけるシステムの概略図。
【図２】販売データ記憶部に記録されたデータの説明図。
【図３】預金口座データ記憶部に記録されたデータの説明図。
【図４】決済依頼データ記憶部に記録されたデータの説明図。
【図５】配送データ記憶部に記録されたデータの説明図。
【図６】実施形態における購入処理の処理手順を説明するための流れ図。
【図７】実施形態における発送処理の処理手順を説明するための流れ図。
【図８】実施形態における振込口座表示画面の説明図。
【図９】実施形態における入金タイミング設定画面の説明図。
【符号の説明】
【００９１】
Ｉ…ネットワークとしてのインターネット、１０…購入者端末、３０…金融機関システムとしての銀行システム、３１…管理コンピュータ、３２…口座データ記憶手段としての預金口座データ記憶部、４０…配送管理サーバとしての配送事業者サーバ。
【図１】
2005284907.tif 000003
【図２】
2005284907.tif 000004
【図３】
2005284907.tif 000005
【図４】
2005284907.tif 000006
【図５】
2005284907.tif 000007
【図６】
2005284907.tif 000008
【図７】
2005284907.tif 000009
【図８】
2005284907.tif 000010
【図９】
2005284907.tif 000011